【手続補正書】
【提出日】平成20年2月4日(2008.2.4)
【手続補正１】
【補正対象書類名】特許請求の範囲
【補正対象項目名】全文
【補正方法】変更
【補正の内容】
【特許請求の範囲】
【請求項１】
１００°以上の画角を有し、物体側から順に、負の屈折力を有するレンズ群と、開口絞りと、正の屈折力を有するレンズ群とを有し、
以下の条件式を満足することを特徴とする超広角レンズ。
−５．０＜ｆ１／ｆ＜−０．５
ｆ ：前記超広角レンズ全体の焦点距離
ｆ１：前記負レンズ群の焦点距離
【請求項２】
前記正レンズ群は、物体側から順に、前群と、後群とを有し、
以下の条件式を満足することを特徴とする請求項１に記載の超広角レンズ。
０．２＜ｆ２／ｆｒ≦１．０
ｆ２：前記正レンズ群の焦点距離
ｆｒ：前記後群の焦点距離
【請求項３】
以下の条件式を満足することを特徴とする請求項１または２に記載の超広角レンズ。
０．０４＜ｆ／ＴＬ＜０．１２
ｆ ：前記超広角レンズ全体の焦点距離
ＴＬ：前記超広角レンズにおける最も物体側のレンズ面から像面までの光軸上の距離
【請求項４】
前記負レンズ群は、負の屈折力を有する非球面レンズを少なくとも１枚有することを特徴とする請求項１から３のいずれか１項に記載の超広角レンズ。
【請求項５】
前記非球面レンズは、以下の条件式を満足することを特徴とする請求項４に記載の超広角レンズ。
０．０＜［（ｄｍ−ｄ０）／ｈｍ］／［（ｄ３０−ｄ０）／ｈ３０］＜３．０
ｄ０ ：前記非球面レンズの光軸上の厚さ（中心厚）
ｄｍ ：前記非球面レンズの像側のレンズ面の最大有効径の位置における光軸と平行な厚さ
ｄ３０：前記非球面レンズの像側のレンズ面の全有効径の３割位置における光軸と平行な厚さ
ｈｍ ：前記非球面レンズの像側のレンズ面の最大有効半径
ｈ３０：前記非球面レンズの像側のレンズ面の全有効径の３割位置における有効半径
【請求項６】
物体側から順に、負の屈折力を有するレンズ群と、開口絞りと、正の屈折力を有するレンズ群とを有し、
前記負レンズ群は、負の屈折力を有する非球面レンズを少なくとも１枚有し、
以下の条件を満足することを特徴とする超広角レンズ。
−５．０＜ｆ１／ｆ＜−０．５
０．０＜［（ｄｍ−ｄ０）／ｈｍ］／［（ｄ３０−ｄ０）／ｈ３０］＜３．０
ｆ ：前記超広角レンズ全体の焦点距離
ｆ１：前記負レンズ群の焦点距離
ｄ０ ：前記非球面レンズの光軸上の厚さ（中心厚）
ｄｍ ：前記非球面レンズの像側のレンズ面の最大有効径の位置における光軸と平行な厚さ
ｄ３０：前記非球面レンズの像側のレンズ面の全有効径の３割位置における光軸と平行な厚さ
ｈｍ ：前記非球面レンズの像側のレンズ面の最大有効半径
ｈ３０：前記非球面レンズの像側のレンズ面の全有効径の３割位置における有効半径
【請求項７】
前記正レンズ群は、物体側から順に、前群と、後群とを有し、
以下の条件式を満足することを特徴とする請求項６に記載の超広角レンズ。
０．２＜ｆ２／ｆｒ≦１．０
ｆ２：前記正レンズ群の焦点距離
ｆｒ：前記後群の焦点距離
【請求項８】
以下の条件式を満足することを特徴とする請求項６または７に記載の超広角レンズ。
０．０４＜ｆ／ＴＬ＜０．１２
ｆ ：前記超広角レンズ全体の焦点距離
ＴＬ：前記超広角レンズにおける最も物体側のレンズ面から像面までの光軸上の距離
【請求項９】
前記負レンズ群は、負の屈折力を有する非球面レンズを少なくとも１枚有することを特徴とする請求項６から８のいずれか１項に記載の超広角レンズ。
【請求項１０】
前記負レンズ群は、物体側から順に、第１負レンズ、第２負レンズ、第３負レンズを有することを特徴とする請求項１から９のいずれか１項に記載の超広角レンズ。
【請求項１１】
前記負レンズ群は、物体側から順に、負メニスカスレンズと、負レンズと、正レンズとを有することを特徴とする請求項１から１０のいずれか１項に記載の超広角レンズ。
【請求項１２】
前記正レンズ群は、物体側から順に、前群と、後群とを有し、
前記後群は合焦のために移動することを特徴とする請求項１から１１のいずれか１項に記載の超広角レンズ。
【請求項１３】
前記負レンズ群は、複数枚の非球面レンズを有しており、
以下の条件式を満足する非球面レンズが、前記複数枚の非球面レンズのうち最も物体側に配置されていることを特徴とする請求項１から１２のいずれか１項に記載の超広角レンズ。
０．０＜［（ｄｍ−ｄ０）／ｈｍ］／［（ｄ３０−ｄ０）／ｈ３０］＜３．０
ｄ０ ：前記非球面レンズの光軸上の厚さ（中心厚）
ｄｍ ：前記非球面レンズの像側のレンズ面の最大有効径の位置における光軸と平行な厚さ
ｄ３０：前記非球面レンズの像側のレンズ面の全有効径の３割位置における光軸と平行な厚さ
ｈｍ ：前記非球面レンズの像側のレンズ面の最大有効半径
ｈ３０：前記非球面レンズの像側のレンズ面の全有効径の３割位置における有効半径
【請求項１４】
前記負レンズ群は、以下の条件式を満足する非球面レンズが物体側から２枚目以降に配置されていることを特徴とする請求項１から１３のいずれか１項に記載の超広角レンズ。
０．０＜［（ｄｍ−ｄ０）／ｈｍ］／［（ｄ３０−ｄ０）／ｈ３０］＜３．０
ｄ０ ：前記非球面レンズの光軸上の厚さ（中心厚）
ｄｍ ：前記非球面レンズの像側のレンズ面の最大有効径の位置における光軸と平行な厚さ
ｄ３０：前記非球面レンズの像側のレンズ面の全有効径の３割位置における光軸と平行な厚さ
ｈｍ ：前記非球面レンズの像側のレンズ面の最大有効半径
ｈ３０：前記非球面レンズの像側のレンズ面の全有効径の３割位置における有効半径
【請求項１５】
請求項１から請求項１４のいずれか１項に記載の超広角レンズを用いたことを特徴とする撮影装置。
【手続補正２】
【補正対象書類名】明細書
【補正対象項目名】０００４
【補正方法】変更
【補正の内容】
【０００４】
そこで本発明は上記問題点に鑑みてなされたものであり、デジタルカメラの撮像範囲において大画角と、大口径とを有する超広角レンズ、該超広角レンズを備えた撮影装置を提供することを目的とする。
【手続補正３】
【補正対象書類名】明細書
【補正対象項目名】００１１
【補正方法】変更
【補正の内容】
【００１１】
また本超広角レンズでは、前記負レンズ群は、負の屈折力を有する非球面レンズを少なくとも１枚有することが望ましい。
また本超広角レンズでは、前記負レンズ群は、物体側から順に、第１負レンズ、第２負レンズ、第３負レンズを有することが望ましい。
また本超広角レンズでは、前記負レンズ群は、物体側から順に、負メニスカスレンズと、負レンズと、正レンズとを有することが望ましい。
また本超広角レンズでは、前記正レンズ群は、物体側から順に、前群と、後群とを有し、前記後群は合焦のために移動することが望ましい。
また本超広角レンズでは、前記負レンズ群は、複数枚の非球面レンズを有しており、
以下の条件式を満足する非球面レンズが、前記複数枚の非球面レンズのうち最も物体側に配置されていることが望ましい。
０．０＜［（ｄｍ−ｄ０）／ｈｍ］／［（ｄ３０−ｄ０）／ｈ３０］＜３．０
ｄ０ ：前記非球面レンズの光軸上の厚さ（中心厚）
ｄｍ ：前記非球面レンズの像側のレンズ面の最大有効径の位置における光軸と平行な厚さ
ｄ３０：前記非球面レンズの像側のレンズ面の全有効径の３割位置における光軸と平行な厚さ
ｈｍ ：前記非球面レンズの像側のレンズ面の最大有効半径
ｈ３０：前記非球面レンズの像側のレンズ面の全有効径の３割位置における有効半径
また本超広角レンズでは、前記負レンズ群は、以下の条件式を満足する非球面レンズが物体側から２枚目以降に配置されていることが望ましい。
０．０＜［（ｄｍ−ｄ０）／ｈｍ］／［（ｄ３０−ｄ０）／ｈ３０］＜３．０
ｄ０ ：前記非球面レンズの光軸上の厚さ（中心厚）
ｄｍ ：前記非球面レンズの像側のレンズ面の最大有効径の位置における光軸と平行な厚さ
ｄ３０：前記非球面レンズの像側のレンズ面の全有効径の３割位置における光軸と平行な厚さ
ｈｍ ：前記非球面レンズの像側のレンズ面の最大有効半径
ｈ３０：前記非球面レンズの像側のレンズ面の全有効径の３割位置における有効半径
【手続補正４】
【補正対象書類名】明細書
【補正対象項目名】００１３
【補正方法】変更
【補正の内容】
【００１３】
本発明によれば、デジタルカメラの撮像範囲において大画角と、大口径とを有する超広角レンズ、該超広角レンズを備えた撮影装置を提供することができる。